(57)【要約】【課題】視聴や録画を希望するチャンネルの放送信号を効率的に受信し、映像・音声データの品質を向上する受信装置を提供する。【解決手段】本発明に係る受信装置は、所定の受信チャンネルの中心周波数より所定値だけ低い周波数を中心周波数とするフィルタ部４１を備えた第１の受信系４０と、所定の受信チャンネルの中心周波数より所定値だけ高い周波数を中心周波数とするフィルタ部５１を備えた第２の受信系５０と、所定の受信チャンネルの中心周波数とほぼ同値の周波数を中心周波数とするフィルタ部６１を備えた第３の受信系６０を備え、これら受信系から放送信号を受信する１以上の受信系を選択する制御部８０とを備えたものである。【選択図】  図３
2009152975.tif 000002
【特許請求の範囲】
【請求項１】
放送信号を受信して、所定の受信チャンネルの受信周波数の選択を行うチューナ部と、前記チューナ部から出力された信号をフィルタリングするフィルタ部と、前記フィルタ部から出力された信号に対し復調処理を行う信号処理部からなる複数個の受信系を備える受信装置において、
前記所定の受信チャンネルの中心周波数より所定値だけ低い周波数を中心周波数とするフィルタ部を備えた少なくとも一つの第１の受信系と、
前記所定の受信チャンネルの中心周波数より所定値だけ高い周波数を中心周波数とするフィルタ部を備えた少なくとも一つの第２の受信系と、
前記複数個の受信系から、前記放送信号を受信する１以上の前記受信系を選択する制御部とを備えたことを特徴とする受信装置。
【請求項２】
前記制御部は、前記所定の受信チャンネルに対して、前記所定の受信チャンネルの受信周波数より高い受信周波数が割り当てられた隣接するチャンネルが存在する場合、前記第１の受信系を選択し、
前記所定の受信チャンネルの受信周波数より低い受信周波数が割り当てられた隣接するチャンネルが存在する場合、前記第２の受信系を選択することを特徴とする請求項１記載の受信装置。
【請求項３】
前記所定の受信チャンネルの中心周波数とほぼ同値の周波数を中心周波数とするフィルタ部を備えた第３の受信系をさらに備え、
前記制御部は、前記所定の受信チャンネルに対し、前記所定の受信チャンネルの受信周波数より高い受信周波数が割り当てられた隣接するチャンネルと前記所定の受信チャンネルの受信周波数より低い受信周波数が割り当てられた隣接するチャンネルが存在する場合、前記第３の受信系を選択することを特徴とする請求項２記載の受信装置。
【請求項４】
前記信号処理部は、前記フィルタ部から出力される信号の品質を測定する品質測定手段をさらに備え、
前記制御部は、前記複数個の受信系のうち少なくとも二以上の受信系から前記放送信号を受信する制御を行い、前記品質測定手段から得られた前記信号の品質の測定結果に基づき、使用する受信系を選択することを特徴とする請求項１または３記載の受信装置。
【請求項５】
前記制御部は、前記所定の受信チャンネルに対し、前記所定の受信チャンネルの受信周波数より高い受信周波数が割り当てられた隣接するチャンネルが存在する場合、前記チューナ部に対し前記所定の受信チャンネルの受信周波数から所定値だけ低い周波数を選択させ、
前記所定の受信チャンネルの受信周波数より低い受信周波数が割り当てられた隣接するチャンネルが存在する場合、前記チューナ部に対し前記所定の受信チャンネルの受信周波数から所定値だけ高い周波数を選択せることを特徴とする請求項１または３記載の受信装置。
【請求項６】
前記制御部は、前記判定手段から得られた前記信号の品質の判定結果に基づき、前記チューナ部に選択させる周波数を決定することを特徴とする請求項５記載の受信装置。
【発明の詳細な説明】
【技術分野】
【０００１】
本発明は、放送波等の受信技術に係り、特に視聴、録画を行う放送番組の映像音声品質を向上させる受信装置に関する。
【背景技術】
【０００２】
テレビ放送を受信するためのテレビ受信装置は、放送信号の受信状態を良好とするため、受信系に設けられたチューナが高感度、および強入力特性などの特性を両立することが理想的である。しかし、この高感度と強入力特性は相反する関係にあるため、一つの特性のみを改善すると他方の特性の欠点が無視できなくなり、両特性の両立は一般的に困難であった。
【０００３】
そこで、上述した課題を解決するため、特許文献１に示すダイバシティ受信装置が知られている。このダイバシティ受信装置は、高感度チューナを備えた受信系と高耐入力チューナを備えた複数の受信系を含むダイバシティ受信装置である。このダイバシティ受信装置は、感度優先の高感度チューナと強入力特性優先の高耐入力チューナを備えることで相反する特性を補う形式で構成し、各々の受信状態を比較し受信状態の最も良好な受信系を選択するようにしている。
【特許文献１】特開平７−１１５３９４号公報
【発明の開示】
【発明が解決しようとする課題】
【０００４】
地上アナログ放送は、隣接のチャンネルとの混信を避けるために周波数が隣り合ったチャンネルに配置されることはなかった。たとえば、１チャンネルの次は３チャンネル、４チャンネルの次は６チャンネルという配置であった。
【０００５】
一方、地上デジタル放送については、余分な周波数の広がりを持たない変調方式を採用したため、連続した周波数のチャンネル配置が行われる場合がある。
【０００６】
特許文献１に示すダイバシティ受信装置に備えられた高感度チューナおよび強耐入力チューナは、放送信号の強弱によりチューナの切り替えを行っていた。このため、このダイバシティ受信装置は視聴や録画を希望するチャンネルに対し連続した周波数に配置されている隣接するチャンネルが存在する場合については考慮されておらず、本来受信を望まない隣接するチャンネルの放送信号を除去することは困難であった。
【０００７】
また、本来受信を希望する周波数帯域幅内の信号のみを受信するため、これに対応したフィルタ帯域幅をもつ急峻なフィルタ特性を持ったフィルタを用いてフィルタリングを行うことが望ましいが、フィルタの特性上ある程度の広がりを持つことは避けられず受信を望まない隣接するチャンネルをも受信してしまうという課題があった。
【０００８】
本発明はこのような事情を考慮してなされたもので、視聴や録画を希望するチャンネルの放送信号を効率的に受信し、取得する映像・音声データの品質を向上できる受信装置を提供することを目的とする。
【０００９】
また、本発明の他の目的は、電波の強弱の変化が急である移動時などにおいても良好な受信状態を確保できる受信装置を提供することにある。
【課題を解決するための手段】
【００１０】
本発明に係る受信装置は、上述した課題を解決するために、所定の受信チャンネルの中心周波数より所定値だけ低い周波数を中心周波数とするフィルタ部を備えた少なくとも一つの第１の受信系と、前記所定の受信チャンネルの中心周波数より所定値だけ高い周波数を中心周波数とするフィルタ部を備えた少なくとも一つの第２の受信系と、複数個の受信系から、放送信号を受信する１以上の受信系を選択する制御部とを備えたことを特徴とする。
【発明の効果】
【００１１】
本発明に係る受信装置は、視聴や録画を希望するチャンネルの放送信号を効率的に受信し、映像・音声データの品質を向上することができる。
【発明を実施するための最良の形態】
【００１２】
本発明に係る受信装置の実施形態を添付図面に基づいて説明する。
【００１３】
図１は、本発明の一実施形態であるテレビ受信装置１の代表例として、ノートブック型パーソナルコンピュータの外観の一例を示す図である。
【００１４】
テレビ受信装置１は、薄型の矩形状をなすテレビ受信装置本体２とパネル部３とを備えて構成されている。テレビ受信装置本体２とパネル部３とはヒンジ部を介して開閉自在に構成されている。
【００１５】
テレビ受信装置本体２は、その筐体の上面に各種データを入力する他、テレビ受信装置１の各種操作を行うキーボード５等を備えている。また、テレビ受信装置本体２は、ＣＰＵ２０、チップセット、主メモリ１３等の電子部品（図２参照）が実装されたシステム基板や、ＴＶ放送を受信するためのＴＶチューナユニット（チューナユニット）１０等を内蔵している。
【００１６】
パネル部３は、その内側の開口部に、各種情報を表示する表示器４を備えている。表示器４は、例えば液晶表示器等で構成されるものである。表示器４には、テレビ受信装置本体２で処理される各種情報や、ＴＶチューナユニット１０で受信されるＴＶ放送の映像が表示される。また、スピーカ６は、ＴＶチューナユニット１０で受信されるＴＶ放送の音声等を出力する。
【００１７】
図２は、テレビ受信装置１のシステム構成の一例を示すブロック図である。テレビ受信装置１は、システム全体の制御を行うＣＰＵ２０を備えており、ＣＰＵ２０はチップセット（ホストハブ２１、およびＩ／Ｏハブ２４）を介して各種の内部構成品とデータの授受を行っている。
【００１８】
テレビ受信装置１が備える内部構成品としては、プログラムやデータを一時的に記憶しＣＰＵ２０のワークエリアとして機能する主メモリ２２、ＢＩＯＳを記憶するＢＩＯＳＲＯＭ２８、表示器（ＬＣＤ）４に表示する各種の画像データを処理するグラフィック制御２３、音声信号処理を行いスピーカ６へ音声信号を出力するサウンド制御２５、記憶装置としてのＨＤＤ２６、ＤＶＤドライブ２７等がある。
【００１９】
また、ユーザインターフェースとして、キーボード５やポインティングデバイス３０等を備えており、これらは制御（ＥＣ／ＫＢＣ）２９を介してＩ／Ｏハブ２４に接続されている。
【００２０】
さらに、テレビ受信装置１は、内部構成品としてＴＶチューナユニット１０を備えており、ＴＶチューナユニット１０は、例えば、ＰＣＩバスを介してＩ／Ｏハブ２４に接続されている。ＴＶチューナユニット１０には、アンテナ端子（図示せず）からＶＨＦ／ＵＨＦ帯のＴＶ放送信号が入力される。ＴＶチューナユニット１０で復調された信号は、Ｉ／Ｏハブ２４、ホストハブ２１を介して、グラフィック制御２３、サウンド制御２５に伝送され、映像信号及び音声信号として表示器４やスピーカ６から出力される。図２では、チューナユニット１０とＩ／Ｏハブ２４とはＰＣＩバスを介した接続としているが、ＰＣＩバスに限定するものではなく、例えば、ＵＳＢやＩＥＥＥ１３９４等のバスを用いて接続する形態であっても良い。
【００２１】
なお、図２は、テレビ受信装置１のシステム構成の一例を示したものであり、この構成に限定されるものではない。
【００２２】
図３は、本発明の実施形態に係るテレビ受信装置１に内蔵されたＴＶチューナユニット（チューナユニット）１０の構成例を示す図である。
【００２３】
チューナユニット１０は、チューナ部、フィルタ部およびデジタルＴＶ信号処理部をそれぞれ備えた第１受信系４０、第２受信系５０および第３受信系６０の三つの受信系から構成される。この３つの受信系は、それぞれ異なるフィルタ特性を有するフィルタ部４１、５１、６１を備える点を特徴とする。この三つの受信系は、フィルタ部４１、５１、６１以外はほぼ同一の構成をとるため、受信系のうち第１受信系４０について特に説明し、他の第２受信系５０および第３受信系６０についての詳しい説明は省略する。
【００２４】
チューナ部４２は、チューナ入力端４３からＶＨＦ帯およびＵＨＦ帯のＴＶ放送信号を入力し、所定の中間周波信号（ＩＦ信号）に変換してフィルタ部４１に出力する。
【００２５】
地上波ＴＶ放送を受信する場合には、チューナ入力端４３にはアンテナ（図示せず）が接続される。また、ＣＡＴＶを受信する場合には、チューナ入力端４３はＣＡＴＶ網（図示せず）に接続される。
【００２６】
チューナ部４２はＡＧＣ回路４４を備えており、ＡＧＣ回路４４の自動利得制御機能によって、受信したＴＶ放送信号のレベルが低い場合にはこれを増幅し、高い場合はこれを減衰させることによってチューナ部４２から出力される信号のレベルを一定に保っている。
【００２７】
また、チューナ部４２は周波数選択回路４５を備えており、入力されるＶＨＦ帯およびＵＨＦ帯のＴＶ放送信号の中から特定の受信周波数を選択し、選択した周波数を所定の中間周波数に変換する。受信周波数の選択は制御部８０から出力される制御信号に基づいて行われる。
【００２８】
フィルタ部４１は、例えばバンドパスフィルタ（ＢＰＦ）４６で構成され、ＩＦ信号に含まれる所定の周波数帯域幅に属する信号成分のみを通過させるフィルタである。ＢＰＦ４６のフィルタ帯域幅は、受信対象のＴＶ放送信号の放送方式によって決まる。例えば、日本国内で使用されている放送方式であるＮＴＳＣ−Ｍのみを受信対象とする場合には、ＢＰＦ４６のフィルタ帯域幅は６ＭＨｚに固定される。フィルタ部の詳細については後述する。
【００２９】
デジタルＴＶ信号処理部４７は、フィルタ部４１から出力されるＩＦ信号を所定の変調方式（例えば、ＯＦＤＭやＱＡＭ方式）に対応した方式で復調し、復調したデジタルＴＶデータ（映像信号および音声信号が含まれる形態のデータ）を抽出する。また、抽出したデジタルＴＶデータを制御部８０に出力する。
【００３０】
デジタルＴＶ信号処理部４７には、品質測定回路４８が設けられる。品質測定回路４８は、フィルタ部から出力されたＩＦ信号から、例えばＣ／Ｎ（Ｃａｒｒｉｅｒ  ｔｏ  Ｎｏｉｓｅ）やＢＥＲ（ｂｉｔ  Ｅｒｒｏｒ  Ｒａｔｅ）を測定する。この品質測定結果は制御部８０に出力している。制御部８０では、この品質測定結果に基づき、使用する受信系の制御を行う。
【００３１】
また、デジタルＴＶ信号処理部４７では、受信したデジタル放送の信号強度を検出し、検出した信号強度を制御部８０に出力している。制御部８０では、この信号強度に基づいてチューナ部４２のＡＧＣ回路４４の利得制御を行うと共に、デジタル放送の信号強度を求めている。
【００３２】
チューナ部４２の周波数選択回路４５で選択された特定の周波数と、ＴＶ放送信号の実際の周波数が完全に一致しなくとも、この特定の周波数と入力されるＴＶ放送信号の実際の周波数との間の誤差量がある一定範囲内（デジタルＴＶ信号処理部の検出可能周波数範囲内）にあるならば、デジタルＴＶ信号の有無を正しく復調できるようになっている。
【００３３】
なお、図３は、デジタルＴＶ信号処理部４７、５７、６７を備える形態を図示しているが、アナログＴＶ信号処理部を備える形態またはデジタルＴＶ信号処理部とアナログＴＶ信号処理部とを備える形態であってもよい。
【００３４】
制御部８０は、各デジタルＴＶ信号処理部４７、５７、６７から入力した映像・音声に係るデジタルＴＶデータを所定のバスデータ、例えばＰＣＩバスデータに変換してＰＣＩバスに出力する。
【００３５】
また、制御部８０は、各デジタルＴＶ信号処理部４７、５７、６７に対して各種制御信号を出力する他、使用する受信系の選択や、各チューナ部４２、５２、６２の各ＡＧＣ回路４４、５４、６４に対する利得制御や、周波数選択回路４５、５５、６５に対する周波数制御を行っている。
【００３６】
制御部８０では、受信チャンネルの受信周波数を選択する際に、受信チャンネルとその受信周波数および使用する受信系の対応テーブルを参照して周波数制御を行っている。このため、予めチャンネル／周波数／使用受信系対応テーブルが作成され登録されている。
【００３７】
ここで、ＴＶチューナユニット１０の各フィルタ部４１、５１、６１に構成された各ＢＰＦ４６、５６、６６の詳細について説明する。
【００３８】
この各ＢＰＦ４６、５６、６６は、それぞれ異なるフィルタ特性を備えており、視聴や録画を希望するチャンネル（以下、受信チャンネルという。）に対し隣接した周波数が割り当てられた隣接する他のチャンネル（以下、隣接チャンネルという。）が存在する場合に、本来受信を望まない隣接チャンネルのＴＶ放送信号を好適に除去することができる。
【００３９】
第１受信系４０に備えられたＢＰＦ４６は、受信チャンネルの受信周波数より高い周波数が割り当てられた隣接チャンネル（以下、上隣接チャンネルという。）が存在する場合に好適なフィルタ特性を備えたＢＰＦである。
【００４０】
図４（ａ）は、第１受信系４０に備えられたＢＰＦ４６のフィルタ特性を示す図である。このＢＰＦ４６のフィルタ特性は、受信チャンネルの中心周波数よりも所定の周波数だけ低い周波数が中心周波数となるように構成され、両者の中心周波数との間に誤差が生じるように構成される。これらの中心周波数の誤差は固定値であり、例えば１ＭＨｚを最大値とし、特に１００ｋＨｚ〜１ＭＨｚが好適である。
【００４１】
図４（ｂ）は、チューナ部４２からフィルタ部４１に出力された受信チャンネルのＩＦ信号７０であって、受信チャンネルには上隣接チャンネルのＩＦ信号７１が存在する場合を概念的に示す図である。図４（ａ）に示すＢＰＦ４６のフィルタ特性は、本来急峻なフィルタ特性を持ち希望するフィルタ帯域幅の信号のみを通過させるものであって、隣接チャンネルのＩＦ信号７１をフィルタリングすることが望ましいが、フィルタの特性上ある程度の広がりを持つことは避けられない。このため、受信を望まない上隣接チャンネルのＩＦ信号７１をも受信する可能性がある。
【００４２】
図４（ｃ）は、図４（ｂ）に示す受信チャンネルのＩＦ信号７０がＢＰＦ４６に入力されフィルタリングされた後のＩＦ信号７０ａおよび上隣接チャンネルのＩＦ信号７１ａを概念的に示す図である。ＢＰＦ４６の中心周波数は、受信チャンネルのＩＦ信号７０の中心周波数よりも低い周波数となっている。このため、ＢＰＦ４６が信号を通過させるフィルタ帯域幅に上隣接チャンネルのＩＦ信号７１を可能な限り含まずに減衰させることができるため効率的にフィルタリングされ、Ｓ／Ｎに優れたＩＦ信号がデジタルＴＶ信号処理部４７に入力される。
【００４３】
第２受信系５０に備えられたＢＰＦ５６は、受信チャンネルの受信周波数より低い周波数が割り当てられた隣接チャンネル（以下、下隣接チャンネルという。）が存在する場合に好適なフィルタ特性を備えたＢＰＦである。
【００４４】
図５（ａ）は、第２受信系５０に備えられたＢＰＦ５６のフィルタ特性を示す図である。このＢＰＦ５６のフィルタ特性は、受信チャンネルのＩＦ信号７２の中心周波数よりも所定の周波数だけ高い周波数が中心周波数となるように構成され、両者の中心周波数との間に誤差が生じるように構成される。この中心周波数の誤差は固定値であり、例えば１ＭＨｚを最大値とし、特に１００ｋＨｚ〜１ＭＨｚが好適である。
【００４５】
図５（ｂ）は、チューナ部５２からフィルタ部５１に出力された受信チャンネルのＩＦ信号７２であって、受信チャンネルには下隣接チャンネルのＩＦ信号７３が存在する場合を概念的に示す図である。図５（ａ）に示すＢＰＦ５６は、第１受信系４０のＢＰＦ４６と同様に、受信を望まない下隣接チャンネルのＩＦ信号７３をも受信する可能性がある。
【００４６】
図５（ｃ）は、図５（ｂ）に示す受信チャンネルのＩＦ信号７２がＢＰＦ５６に入力されフィルタリングされた後のＩＦ信号７２ａおよび下隣接チャンネルのＩＦ信号７３ａを概念的に示す図である。ＢＰＦ５６の中心周波数は、受信チャンネルのＩＦ信号７２の中心周波数よりも高い周波数となっている。このため、ＢＰＦ５６が信号を通過させるフィルタ帯域幅に下隣接チャンネルのＩＦ信号７３を可能な限り含まずに減衰させることができるため効率的にフィルタリングされ、Ｓ／Ｎに優れたＩＦ信号がデジタルＴＶ信号処理部５７に入力される。
【００４７】
第３受信系６０に備えられたＢＰＦ６１は、受信チャンネルに対し上下共に隣接するチャンネルが存在する場合に好適なフィルタ特性を備えたＢＰＦである。
【００４８】
図６（ａ）は、第３受信系６０に備えられたＢＰＦ６１のフィルタ特性を示す図であるこのＢＰＦ６６のフィルタ特性の中心周波数は、受信チャンネルのＩＦ信号の中心周波数とほぼ同値となるように構成され、上下隣接チャンネルに対してバランスよく対応できる。
【００４９】
図６（ｂ）は、チューナ部６２からフィルタ部６１に出力された受信チャンネルのＩＦ信号７４であって、受信チャンネルには上隣接チャンネルのＩＦ信号７５および下隣接チャンネルのＩＦ信号７６が存在する場合を概念的に示す図である。図６（ａ）に示すＢＰＦ６６は、受信を望まない上隣接チャンネルのＩＦ信号７５および下隣接チャンネルのＩＦ信号７６をも受信する可能性がある。
【００５０】
図６（ｃ）は、図６（ｂ）に示す受信チャンネルのＩＦ信号７４がＢＰＦ６６に入力されフィルタリングされた後のＩＦ信号７４ａ、上隣接チャンネルのＩＦ信号７５ａおよび下隣接チャンネルのＩＦ信号７６ａを概念的に示す図である。ＢＰＦ６６の中心周波数は、受信チャンネルのＩＦ信号７４の中心周波数とほぼ同値となっている。このため、ＢＰＦ６６が信号を通過させるフィルタ帯域幅に上隣接チャンネルのＩＦ信号７５および下隣接チャンネルのＩＦ信号７６を可能な限り含まずに減衰させることができるため効率的にフィルタリングされ、Ｓ／Ｎに優れたＩＦ信号がデジタルＴＶ信号処理部６７に入力される。
【００５１】
ここで、ＴＶチューナユニット１０が受信する所定の受信チャンネルに対応した受信周波数は地域毎に割り当てられている。このため、所定の受信チャンネルを受信する際には、制御部８０はあらかじめ作成され登録されたチャンネル／周波数／使用受信系対応テーブルを参照し、受信周波数の設定を行う。また、このチャンネル／周波数／使用受信系対応テーブルには、受信チャンネルに対する隣接チャンネルの有無に関する情報などに基づいた、所定の受信チャンネルのＴＶ放送信号を受信する際に使用する受信系に関する情報も登録されている。
【００５２】
本実施形態におけるテレビ受信装置１は、このチャンネル／周波数／使用受信系対応テーブルを参照して選択された受信系に特徴の異なる複数個のフィルタ部を構成し、好適に作用させることを特徴とする。
【００５３】
図７は、受信チャンネルに対する隣接チャンネルの有無に応じてＴＶ放送信号の受信に使用する受信系の選択例を説明する図である。
【００５４】
たとえば、図７の（１）のように所定の受信チャンネルに対し上隣接チャンネル（Ｃｈ）が存在する場合、この上隣接チャンネルを効率的にフィルタリングすることが望ましい。この場合には、制御部８０は、上隣接チャンネルに対し好適に作用する図４（ａ）に示すフィルタ特性を有するＢＰＦ４６を備える第１受信系４０を選択する。
【００５５】
また、図７の（２）のように所定の受信チャンネルに対し下隣接チャンネルが存在する場合、この下隣接チャンネルを効率的にフィルタリングすることが望ましい。この場合には、制御部８０は、下隣接チャンネルに対し好適に作用する図５（ａ）に示すフィルタ特性を有するＢＰＦ５６を備える第２受信系５０を選択する。
【００５６】
さらに、図７の（３）のように所定の受信チャンネルに対し上隣接チャンネルおよび下隣接チャンネルが存在する場合、この上下隣接チャンネルを効率的にフィルタリングすることが望ましい。この場合には、制御部８０は、上下隣接チャンネルに対し好適に作用する図６（ａ）に示すフィルタ特性を有するＢＰＦ６６を備える第３受信系６０を選択する。
【００５７】
一方、複数の受信系から同時にＴＶ放送信号の受信を行い、複数の受信チャンネルの視聴や録画を同時に行うこともできる。
【００５８】
図７の（４）のように、複数の受信チャンネルＡ、Ｂに対し上隣接チャンネルが存在する場合には、受信チャンネルに対し高品質のデジタルＴＶデータを取得する優先度をあらかじめ設定することにより、使用する受信系が選択されるようになっている。
【００５９】
例えば、一の受信チャンネルＡについてより良い受信状態を確保することを希望する場合に、制御部８０は受信チャンネルＡに対して上隣接に好適に作用するＢＰＦ４６を備えた第１受信系４０を選択し、他の受信チャンネルＢに対しては、ＢＰＦ６６を備えた第３受信系６０を選択する。
【００６０】
これら使用する受信系を選択する際の優先度は、例えばユーザが視聴や録画を行う際に設定可能なように構成してもよいし、録画と視聴が重複した場合には、例えば予め録画に対し高品質のデジタルＴＶデータが確保されるように設定可能な構成としてもよい。
【００６１】
また、図７の（５）のように受信チャンネルＡに対し上隣接チャンネルが存在し、受信チャンネルＢに対し下隣接チャンネルが存在する場合には、制御部８０は受信チャンネルＡについては上隣接に好適に作用するＢＰＦ４６を備えた第１受信系４０を選択し、受信チャンネルＢに対しては、ＢＰＦ５６を備えた第２受信系５０を選択する。
【００６２】
図７の（６）および（７）については、図７（４）および（５）とほぼ同様な理由から受信系の選択を行うため、詳しい説明は省略する。
【００６３】
この受信装置によれば、受信チャンネルに隣接チャンネルが存在する場合であっても、隣接チャンネルのＩＦ信号に対し好適に作用するフィルタ部を備えた受信系を構成し、受信チャンネルに応じて使用する受信系を選択することで、隣接チャンネルの信号を効率的にフィルタリングすることができる。
【００６４】
また、ＴＶ放送信号の受信が移動中に行われる場合など、ＴＶ放送信号レベルの強弱が急激に変化するような場合であっても、ＴＶ放送信号レベルの強弱ではなく隣接信号の有無によって使用する受信系を選択するため、従来の複数の受信系を備えた受信装置に比べ、安定した受信状態を維持することができる。
【００６５】
つまり、この受信装置は、Ｓ／Ｎが良好な映像・画像のデータを取得することができ、ＴＶ番組などの視聴および録画の受信品質を向上させることができる。
【００６６】
次に、本実施形態におけるテレビ受信装置を用いて他の受信処理を行う場合について説明する。当該受信処理は、ＴＶ番組などの視聴や録画の受信品質をさらに向上させるため、チューナ部で受信したＴＶ放送信号から選択する受信周波数を好適に制御した受信周波数制御処理を行う。
【００６７】
上述したＴＶチューナユニット１０は、異なる特徴を持つフィルタ部を備えた受信系を受信チャンネルに対する隣接チャンネルの有無によって選択し、安定した受信状態を確保した。これに加え、受信周波数制御処理は、制御部８０からの制御信号に基づいて、チューナ部が選択する中心周波数を、本来の受信チャンネルに割り当てられた中心周波数から所定の誤差を持った周波数とすることで、隣接チャンネルの信号をより好適にフィルタリングする。
【００６８】
第１受信系４０、第２受信系５０および第３受信系６０は、フィルタ部４１、５１、６１以外はほぼ同一の構成をとるため、受信系のうち第１受信系４０について特に説明し、他の第２受信系５０および第３受信系６０についての詳しい説明は省略する。
【００６９】
中心周波数の選択は、制御部８０から出力される制御信号に基づきチューナ部４２の周波数選択回路４５で行われる。受信チャンネルに対し上隣接チャンネルが存在する場合、制御部８０は、周波数選択回路４５に本来の受信チャンネルに割り当てられた中心周波数より低い周波数を選択させる。また、受信チャンネルに対し下隣接チャンネルが存在する場合、制御部８０は、周波数選択回路４５に受信周波数が本来の受信チャンネルに割り当てられた中心周波数より高い周波数を選択させる。
【００７０】
また、周波数選択回路４５は、所定の受信周波数が選択されたＴＶ放送信号を、ＩＦ信号に変換する。このＩＦ信号は、フィルタ部４１に入力される。
【００７１】
なお、制御部８０により制御される本来の受信チャンネルに割り当てられた中心周波数からの誤差は、第１受信系４０および第２受信系５０を使用する場合には、一例として５０ｋＨｚ程度が好適である。第３受信系６０を使用する場合には、一例として１０ｋＨｚ〜１００ｋＨｚ程度が好適である。
【００７２】
なお、チューナ部４２の周波数選択回路４５で選択された受信周波数と、ＴＶ放送信号の実際の周波数が完全に一致しなくとも、受信周波数と入力されるＴＶ放送信号の実際の周波数との間の誤差量がある一定範囲内（デジタルＴＶ信号処理部４７の検出可能周波数範囲内）にあるならば、デジタルＴＶ信号の有無を正しく復調できるようになっている。
【００７３】
図８は、フィルタ部に入力されたＩＦ信号に対し行われるフィルタリング処理について概念的に説明する図である。一例として、第３受信系に備えられたフィルタ部６１で行う処理について説明する。
【００７４】
図８（ａ）は、ＢＰＦ６６のフィルタ特性を示す図である。このＢＰＦ６６は、受信チャンネルに対し上下共に隣接するチャンネルが存在する場合に好適なフィルタ特性を備えたＢＰＦである。
【００７５】
図８（ｂ）は、チューナ部６２の周波数選択回路６５で受信周波数制御処理を行った後ＩＦ信号に変換され、フィルタ部６１に入力された受信チャンネルのＩＦ信号７７を概念的に説明する図である。
【００７６】
この受信チャンネルのＩＦ信号７７には、上隣接チャンネルのＩＦ信号７８が存在する。この上隣接チャンネルのＩＦ信号７８をフィルタリングするため、この受信チャンネルのＩＦ信号７７は、本来の受信チャンネルに割り当てられた中心周波数より低い値が中心周波数として設定されているため、図８（ａ）に示すＢＰＦ６６の中心周波数とは所定の誤差が生じている。
【００７７】
図８（ｃ）は、図８（ｂ）に示す受信チャンネルのＩＦ信号７７がＢＰＦ６６に入力されフィルタリングされた後のＩＦ信号７７ａおよび上隣接チャンネルのＩＦ信号７８ａを概念的に示す図である。上述したように、ＢＰＦ６６の中心周波数と受信チャンネルのＩＦ信号７７の中心周波数とは所定の誤差が生じている。このため、ＢＰＦ６６が信号を通過させるフィルタ帯域幅に上隣接チャンネルのＩＦ信号７８ａをできる限り含まずに減衰させることができるため効率的にフィルタリングされ、Ｓ／Ｎに優れたＩＦ信号がデジタルＴＶ信号処理部６７に入力される。
【００７８】
なお、受信周波数制御処理が行われた受信チャンネルのＩＦ信号に対して、第３受信系に備えられたフィルタ部６１で行われるフィルタリング処理について説明したが、第１受信系４０または第２受信系５０についても、各フィルタ部において同様にフィルタリング処理を行うことができる。
【００７９】
なお、第１受信系４０および第２受信系５０において受信周波数制御処理を行う場合、各ＢＰＦ４６、５６の中心周波数は、本来の受信チャンネルに割り当てられた中心周波数から、例えば３００ｋＨｚ程度の誤差をもって構成するのが好適である。
【００８０】
このテレビ受信装置によれば、受信チャンネルに対し隣接チャンネルが存在する場合であっても、受信したＴＶ放送信号から選択する受信周波数を本来の受信チャンネルに割り当てられた周波数と誤差を持たせて受信することで、隣接チャンネルの信号をさらに効率的にフィルタリングすることができる。
【００８１】
次に、本実施形態におけるテレビ受信装置を用いて、さらに高品質なデジタルＴＶデータを取得するための他の処理を説明する。この処理では、デジタルＴＶ信号処理部に入力される信号の品質を判定する品質測定回路から取得した信号の品質に応じて、制御部８０により使用する受信系の選択が行われる。
【００８２】
この品質測定結果を用いた受信系選択処理を図９のフローチャートを用いて説明する。
【００８３】
ステップＳ１において、制御部８０は、所定の受信チャンネルを少なくとも２以上の受信系から受信するように受信系を選択する。例えば、第１受信系４０と第２受信系５０を選択する。
【００８４】
ステップＳ２において、品質測定回路４８、５８は、第１受信系４０および第２受信系５０から受信され、チューナ部４２、５２およびフィルタ部４１、５１を経てデジタルＴＶ信号処理部４７、５７に出力された信号の品質を測定する。測定される信号の品質には、Ｃ／ＮやＢＥＲなどがある。測定された信号品質結果は、それぞれ制御部８０に出力される。
【００８５】
ステップＳ３において、制御部８０は、取得した複数の信号品質結果に基づき、最適な受信品質を取得した受信系を、以後使用する受信系として選択し、最適な受信系から受信したデジタルＴＶデータを使用し、ＴＶ番組の視聴や録画を行う。例えば、第１受信系４０で取得した信号品質結果が優れていた場合には、以後のＴＶ番組の視聴や録画は第１受信系４０が使用される。
【００８６】
また、上述した受信チャンネルの中心周波数を制御することにより受信系を選択する受信周波数制御処理を行う際にも、品質測定回路での品質測定結果に基づき当該処理を行ってもよい。例えば、品質測定回路から出力された品質測定結果に基づき、制御部８０がＣ／ＮやＢＥＲが最適になるような受信周波数を決定し、この受信周波数を選択するような制御信号をチューナ部に出力するように構成してもよい。
【００８７】
品質測定回路で測定されたＣ／ＮやＢＥＲが最適となるような受信系および受信チャンネルの中心周波数を選択することで、より受信品質の優れた映像・音声のデジタルＴＶデータを取得することができる。
【００８８】
なお、本実施形態においてはデジタルＴＶ放送信号を受信するテレビ受信装置を説明したが、これに限らず、例えばアナログ放送信号、デジタルラジオ放送信号などの別種の放送信号であってもよい。
【００８９】
また、三つの受信系を構成するチューナユニットを内蔵するテレビ受信装置について説明したが、上隣接および下隣接チャンネルに好適に作用するＢＰＦを備えた第１受信系および第２受信系のみを備えても同様の効果を得ることができる。さらに、受信系は三つ以上で構成してもよい。
【図面の簡単な説明】
【００９０】
【図１】本発明の一実施形態であるテレビ受信装置の外観の一例を示す図。
【図２】テレビ受信装置のシステム構成の一例を示すブロック図。
【図３】本発明の実施形態に係るＴＶチューナユニット（チューナユニット）の構成例を示す図。
【図４】（ａ）は第１受信系に備えられたＢＰＦのフィルタ特性を示す図、（ｂ）は受信チャンネルのＩＦ信号および上隣接チャンネルのＩＦ信号を概念的に示す図、（ｃ）は図４（ｂ）に示す受信チャンネルのＩＦ信号がＢＰＦに入力されフィルタリングされた後のＩＦ信号および上隣接チャンネルのＩＦ信号を概念的に示す図。
【図５】（ａ）は第２受信系に備えられたＢＰＦのフィルタ特性を示す図、（ｂ）は受信チャンネルのＩＦ信号および下隣接チャンネルのＩＦ信号を概念的に示す図、（ｃ）は図５（ｂ）に示す受信チャンネルのＩＦ信号がＢＰＦに入力されフィルタリングされた後のＩＦ信号および下隣接チャンネルのＩＦ信号を概念的に示す図。
【図６】（ａ）は第３受信系に備えられたＢＰＦのフィルタ特性を示す図、（ｂ）は受信チャンネルのＩＦ信号および隣接チャンネルのＩＦ信号を概念的に示す図、（ｃ）は図６（ｂ）に示す受信チャンネルのＩＦ信号がＢＰＦに入力されフィルタリングされた後のＩＦ信号および隣接チャンネルのＩＦ信号を概念的に示す図。
【図７】受信チャンネルに対する隣接チャンネルの有無に応じて使用する受信系の選択例を説明する図。
【図８】（ａ）は第３受信系に備えられたＢＰＦのフィルタ特性を示す図、（ｂ）は受信チャンネルのＩＦ信号および上隣接チャンネルのＩＦ信号を概念的に示す図、（ｃ）は図８（ｂ）に示す受信チャンネルのＩＦ信号がＢＰＦに入力されフィルタリングされた後のＩＦ信号および上隣接チャンネルのＩＦ信号を概念的に示す図。
【図９】品質測定回路を用いた受信系の選択処理を説明するフローチャート。
【符号の説明】
【００９１】
１  テレビ受信装置
１０  チューナユニット
４０  第１受信系
４１  フィルタ部
４２  チューナ部
４５  周波数選択回路
４６  バンドパスフィルタ（ＢＰＦ）
４７  デジタルＴＶ信号処理部
４８  品質測定回路
５０  第２受信系
５１  フィルタ部
５２  チューナ部
５５  周波数選択回路
５６  バンドパスフィルタ（ＢＰＦ）
５７  デジタルＴＶ信号処理部
５８  品質測定回路
６０  第３受信系
６１  フィルタ部
６２  チューナ部
６５  周波数選択回路
６６  バンドパスフィルタ（ＢＰＦ）
６７  デジタルＴＶ信号処理部
６８  品質測定回路
８０  制御部
【図１】
2009152975.tif 000003
【図２】
2009152975.tif 000004
【図３】
2009152975.tif 000005
【図４】
2009152975.tif 000006
【図５】
2009152975.tif 000007
【図６】
2009152975.tif 000008
【図７】
2009152975.tif 000009
【図８】
2009152975.tif 000010
【図９】
2009152975.tif 000011